(57)【要約】【課題】データの円滑かつ確実な受渡しを行うことができるデータ受渡システム、データ拠出装置、データ入手装置、データ拠出プログラム、データ入手プログラム、データ拠出プログラム記憶媒体、およびデータ入手プログラム記憶媒体を提供する。【解決手段】データの格納位置を、レーベル面に、レーベル画像の少なくとも一部として書き込むレーベル画像描画部５２０を有するデータ拠出装置５００、および、レーベル面に書き込まれているレーベル画像を読み取る画像読取部６２０と、レーベル画像から格納位置を認識する格納位置認識部６３０と、データを格納位置読取部６３０で読み取られた格納位置と同等の格納位置に格納するデータ格納部６４０とを有するデータ入手装置６００を備えた。【選択図】        図５
2007272985.tif 000002
【特許請求の範囲】
【請求項１】
データが格納される第１データベースの該データを、データが記録されるデータ面と、該データ面の記録内容を視覚的に確認するためのレーベル画像が描画されるレーベル面とを有する記録メディアのデータ面に記録するデータ記録部と、
前記データ記録部が前記記録メディアのデータ面に記録したデータの、前記第１データベースにおける格納位置を、該記録メディアのレーベル面に、前記レーベル画像の少なくとも一部として書き込む格納位置書込部とを備えたデータ拠出装置；および
前記記録メディアのデータ面に記録されているデータを再生するデータ再生部と、
前記データ再生部がデータを再生した記録メディアのレーベル面に書き込まれている格納位置を読み取る格納位置読取部と、
前記データ再生部で再生されたデータを、データが各格納位置に格納される第２データベースにおける、前記格納位置読取部で読み取られた格納位置と同等の格納位置に格納するデータ格納部とを備えたデータ入手装置；
を備えたことを特徴とするデータ受渡システム。
【請求項２】
前記格納位置読取部が、前記レーベル面の画像を読み取る画像読取部と、該画像読取部で読み取られた画像を解析して前記格納位置を認識する格納位置認識部とを有するものであることを特徴とする請求項１記載のデータ受渡システム。
【請求項３】
前記格納位置書込部が、前記格納位置を所定の書式で前記レーベル面に書き込み、該書式を表す書式情報も該レーベル面に書き込むものであり、
前記格納位置読取部が、前記レーベル面の画像を読み取る画像読取部と、該画像読取部で読み取られた画像中の書式情報が表す書式に従って前記格納位置を認識する格納位置認識部とを有するものであることを特徴とする請求項１記載のデータ受渡システム。
【請求項４】
前記格納位置書込部が、前記格納位置を所定の書式で前記レーベル面に書き込み、該書式を表す書式情報を、該書式情報を検知するための検知マークが付された状態で該レーベル面に書き込むものであり、
前記格納位置読取部が、前記レーベル面の画像を読み取る画像読取部と、該画像読取部で読み取られた画像中の書式情報を前記検知マークに基いて検知し、その検知した書式情報が表す書式に従って前記格納位置を認識する格納位置認識部とを有するものであることを特徴とする請求項１記載のデータ受渡システム。
【請求項５】
前記格納位置書込部が、前記格納位置を表した文字を書き込むものであることを特徴とする請求項１記載のデータ受渡システム。
【請求項６】
前記記録メディアが、データが光で記録されるデータ面と、その光で前記レーベル画像が描画されるレーベル面とを有するものであることを特徴とする請求項１記載のデータ受渡システム。
【請求項７】
データが格納される第１データベースの該データを、データが記録されるデータ面と、該データ面の記録内容を視覚的に確認するためのレーベル画像が描画されるレーベル面とを有する記録メディアのデータ面に記録するデータ記録部と、
前記データ記録部が前記記録メディアのデータ面に記録したデータの、前記第１データベースにおける格納位置を、該記録メディアのレーベル面に、前記レーベル画像の少なくとも一部として書き込む格納位置書込部とを備えたことを特徴とするデータ拠出装置。
【請求項８】
データが記録されるデータ面と、該データ面の記録内容を視覚的に確認するためのレーベル画像が描画されるレーベル面とを有する記録メディアのデータ面に記録されているデータを再生するデータ再生部と、
前記データ再生部がデータを再生した記録メディアのレーベル面に書き込まれている格納位置を読み取る格納位置読取部と、
前記データ再生部で再生されたデータを、データが各格納位置に格納される第２データベースにおける、前記格納位置読取部で読み取られた格納位置と同等の格納位置に格納するデータ格納部とを備えたことを特徴とするデータ入手装置。
【請求項９】
コンピュータに組み込まれ、該コンピュータ上に、
データが格納される第１データベースの該データを、データが記録されるデータ面と、該データ面の記録内容を視覚的に確認するためのレーベル画像が描画されるレーベル面とを有する記録メディアのデータ面に記録するデータ記録部と、
前記データ記録部が前記記録メディアのデータ面に記録したデータの、前記第１データベースにおける格納位置を、該記録メディアのレーベル面に、前記レーベル画像の少なくとも一部として書き込む格納位置書込部とを構築することを特徴とするデータ拠出プログラム。
【請求項１０】
コンピュータに組み込まれ、該コンピュータ上に、
データが記録されるデータ面と、該データ面の記録内容を視覚的に確認するためのレーベル画像が描画されるレーベル面とを有する記録メディアのデータ面に記録されているデータを再生するデータ再生部と、
前記データ再生部がデータを再生した記録メディアのレーベル面に書き込まれている格納位置を読み取る格納位置読取部と、
前記データ再生部で再生されたデータを、データが各格納位置に格納される第２データベースにおける、前記格納位置読取部で読み取られた格納位置と同等の格納位置に格納するデータ格納部とを構築することを特徴とするデータ入手プログラム。
【請求項１１】
コンピュータに組み込まれ、該コンピュータ上に、
データが格納される第１データベースの該データを、データが記録されるデータ面と、該データ面の記録内容を視覚的に確認するためのレーベル画像が描画されるレーベル面とを有する記録メディアのデータ面に記録するデータ記録部と、
前記データ記録部が前記記録メディアのデータ面に記録したデータの、前記第１データベースにおける格納位置を、該記録メディアのレーベル面に、前記レーベル画像の少なくとも一部として書き込む格納位置書込部とを構築するデータ拠出プログラムが記憶されてなることを特徴とするデータ拠出プログラム記憶媒体。
【請求項１２】
コンピュータに組み込まれ、該コンピュータ上に、
データが記録されるデータ面と、該データ面の記録内容を視覚的に確認するためのレーベル画像が描画されるレーベル面とを有する記録メディアのデータ面に記録されているデータを再生するデータ再生部と、
前記データ再生部がデータを再生した記録メディアのレーベル面に書き込まれている格納位置を読み取る格納位置読取部と、
前記データ再生部で再生されたデータを、データが各格納位置に格納される第２データベースにおける、前記格納位置読取部で読み取られた格納位置と同等の格納位置に格納するデータ格納部とを構築するデータ入手プログラムが記憶されてなることを特徴とするデータ入手プログラム記憶媒体。
【発明の詳細な説明】
【技術分野】
【０００１】
本発明は、データを外部に拠出するデータ拠出装置とデータを外部から入手するデータ入手装置とからなるデータ受渡システム、そのようなデータ受渡システムを構成するデータ拠出装置、そのようなデータ受渡システムを構成するデータ入手装置、コンピュータを上記のデータ拠出装置として動作させるデータ拠出プログラム、コンピュータを上記のデータ入手装置として動作させるデータ入手プログラム、上記のデータ拠出プログラムが記憶されてなるデータ拠出プログラム記憶媒体、および、上記のデータ入手プログラムが記憶されてなるデータ入手プログラム記憶媒体に関する。
【背景技術】
【０００２】
複数台のパーソナルコンピュータを互いにケーブルで接続することでいわゆるＬＡＮ（Ｌｏｃａｌ  Ａｒｅａ  Ｎｅｔｗｏｒｋ）を構築してデータの受渡しを行う技術が、オフィス等において普及している。ここで、このような有線でＬＡＮを構築する技術には、ケーブルの設置工事に時間やコストがかかることが多い上、場所によってはケーブルの設置が困難でＬＡＮの構築ができない等といった問題がある。
【０００３】
そのような、ＬＡＮの構築が困難な場合には、例えばＣＤ−Ｒ（Ｃｏｍｐａｃｔ  Ｄｉｓｋ  Ｒｅｃｏｒｄａｂｌｅ）やＣＤ−ＲＷ（Ｃｏｍｐａｃｔ  Ｄｉｓｋ  Ｒｅｗｒｉｔａｂｌｅ）やＤＶＤ（Ｄｉｇｉｔａｌ  Ｖｅｒｓａｔｉｌｅ  Ｄｉｓｋ）等といった様々な可搬型の記録メディアを介したデータの受渡しが行われることが多い。
【０００４】
ここで、あるパーソナルコンピュータから他のパーソナルコンピュータへ、記録メディアを介してデータを渡す際に、相手側のパーソナルコンピュータのメモリ内における格納位置を指定する等といったことがしばしばある。
【０００５】
そのような場合に、記録メディアに、所望の格納位置を記載したメモを付けることで指定を行うことは良く行われる。このとき、メモでは紛失の恐れがある等の理由から、格納位置を記載する場所として、上記のような記録メディアにおいて、データが記録されるデータ面の反対側の面であって、そのデータ面の記録内容を視覚的に確認するためのレーベル画像が描画されるレーベル面が利用されることがある。
【０００６】
一般的に、記録メディアのレーベル面を、格納位置等といった、記録内容に関する連絡事項の記載に利用する場合には、レーベル面にペンで連絡事項を書き込む等といった方法が採られることが多い。
【０００７】
一方で、レーベル面にレーベル画像を描画する方法としては、次のような様々な方法が知られている。例えば、一般的な方法としては、レーベル画像が印刷されたシール等をレーベル面に貼付することでレーベル面にレーベル画像を間接的に描画する方法や、レーベル画像をインクジェットプリンタ等を使ってレーベル面に直接に印刷する方法等が挙げられる。また、近年では、データが光で記録されるデータ面と、その光でレーベル画像が描画されるレーベル面を備えた記録メディアや、そのような記録メディアのレーベル面にレーベル画像を光で描画する技術等も提案されている（例えば、特許文献１、特許文献２、および特許文献３参照。）。
【０００８】
上記のようなデータの格納位置等といった連絡事項もレーベル画像の一種であると捉えることができるので、ペンによる書き込みに替えて、このようなレーベル画像の描画方法で連絡事項をレーベル面に書き込む等といったことも考えられる。
【特許文献１】特開２００２−２０３３２１号公報
【特許文献２】特開２００４−２１３７９６号公報
【特許文献３】特開２００５−２７６５１３号公報
【発明の開示】
【発明が解決しようとする課題】
【０００９】
メモあるいはレーベル面への書き込みによって、データの格納位置が指定された記録メディアを受け取った場合、そのような記録メディアを受け取ったユーザは、メモあるいはレーベル面に記載された格納位置を読んで、その記載内容に従って、記録メディア内のデータを指定された格納位置に格納することとなる。しかし、このような作業は煩雑であり、データの円滑な受渡しを妨げることとなる。また、データの格納時に人為的なミスが生じる可能性もある。
【００１０】
本発明は、上記事情に鑑み、データの円滑かつ確実な受渡しを行うことができるデータ受渡システムと、そのようなデータ受渡システムを構成する構成するデータ拠出装置と、そのようなデータ受渡システムを構成するデータ入手装置と、コンピュータを上記のデータ拠出装置として動作させるデータ拠出プログラムと、コンピュータを上記のデータ入手装置として動作させるデータ入手プログラムと、上記のデータ拠出プログラムが記憶されてなるデータ拠出プログラム記憶媒体と、上記のデータ入手プログラムが記憶されてなるデータ入手プログラム記憶媒体とを提供することを目的とする。
【課題を解決するための手段】
【００１１】
上記目的を達成する本発明のデータ受渡システムは、データが格納される第１データベースのそのデータを、データが記録されるデータ面と、そのデータ面の記録内容を視覚的に確認するためのレーベル画像が描画されるレーベル面とを有する記録メディアのデータ面に記録するデータ記録部と、
上記データ記録部が上記記録メディアのデータ面に記録したデータの、上記第１データベースにおける格納位置を、その記録メディアのレーベル面に、上記レーベル画像の少なくとも一部として書き込む格納位置書込部とを備えたデータ拠出装置；および
上記記録メディアのデータ面に記録されているデータを再生するデータ再生部と、
上記データ再生部がデータを再生した記録メディアのレーベル面に書き込まれている格納位置を読み取る格納位置読取部と、
上記データ再生部で再生されたデータを、データが各格納位置に格納される第２データベースにおける、上記格納位置読取部で読み取られた格納位置と同等の格納位置に格納するデータ格納部とを備えたデータ入手装置；
を備えたことを特徴とする。
【００１２】
ここで、上記第１データベースと上記第２のデータベースは、互いに独立した２つのデータベースであっても良く、あるいは、上記データ受渡システムにおいて共通に扱われる１つのデータベースであっても良い。後者の場合、上記データ拠出装置は、その１つのデータベースにこれから格納するデータを、そのデータのその１つのデータベースにおける格納場所と共に拠出し、上記データ入手装置は、そのデータを、その１つのデータベースにおけるその格納場所に格納することとなる。
【００１３】
本発明のデータ受渡システムによれば、上記データ拠出装置によって、データが記録メディアのデータ面に記録されると共に、そのデータの上記第１データベースにおける格納位置が記録メディアのレーベル面に書き込まれる。そして、上記データ入手装置によって、データ面からデータが読み出され、レーベル面から格納位置が読み取られ、再生されたデータが、上記第２データベースにおける、読み取られた格納位置と同等な格納位置に格納される。このように、本発明のデータ受渡システムでは、データの拠出から、そのデータの格納までに至る一連の処理が人手を介することなく実行される。このため、データの受渡しが円滑であり、かつデータの格納時における人為的なミスが回避される。つまり、本発明のデータ受渡システムによれば、データの円滑かつ確実な受渡しを行うことができる。
【００１４】
ここで、本発明のデータ受渡システムにおいて、「上記格納位置読取部が、上記レーベル面の画像を読み取る画像読取部と、その画像読取部で読み取られた画像を解析して上記格納位置を認識する格納位置認識部とを有するものである」という形態は好ましい形態である。
【００１５】
この好ましい形態のデータ受渡システムによれば、上記レーベル画像の少なくとも一部として書き込まれた格納位置を確実に読み取ることができる。
【００１６】
また、本発明のデータ受渡システムにおいて、「上記格納位置書込部が、上記格納位置を所定の書式で上記レーベル面に書き込み、その書式を表す書式情報もそのレーベル面に書き込むものであり、
上記格納位置読取部が、上記レーベル面の画像を読み取る画像読取部と、その画像読取部で読み取られた画像中の書式情報が表す書式に従って上記格納位置を認識する格納位置認識部とを有するものである」という形態や、
「上記格納位置書込部が、上記格納位置を所定の書式で上記レーベル面に書き込み、その書式を表す書式情報を、その書式情報を検知するための検知マークが付された状態でそのレーベル面に書き込むものであり、
上記格納位置読取部が、上記レーベル面の画像を読み取る画像読取部と、その画像読取部で読み取られた画像中の書式情報を上記検知マークに基いて検知し、その検知した書式情報が表す書式に従って上記格納位置を認識する格納位置認識部とを有するものである」という形態も好ましい形態である。
【００１７】
これらの好ましい形態のデータ受渡システムによれば、上記格納位置がどのような書式で書き込まれたとしても、上記書式情報によって上記格納位置読取部はその書式を認識することができ、その書式に従って上記格納位置を確実に抽出することができる。つまり、この好ましい形態のデータ受渡システムによれば、上記書式の自由度が高いので、上記格納位置の内容に応じて適当な書式で書き込むことができる。また、後者の形態によれば、その読み取られた画像中の書式情報を上記検知マークに基いて確実に検知することができる。
【００１８】
また、本発明のデータ受渡システムは、「上記格納位置書込部が、上記格納位置を表した文字を書き込むものである」という形態であっても良い。
【００１９】
この形態によれば、上記格納位置を、単に上記データ入手装置に伝えるだけでなく、そのデータ入手装置のユーザに、データの格納位置を視覚的に知らせることができる。
【００２０】
また、本発明のデータ受渡システムは、レーベル画像が印刷されたシール等がレーベル面に貼付されるタイプの記録メディアや、あるいはレーベル画像がインクジェットプリンタ等でレーベル面に描画されるタイプの記録メディア等といった様々なタイプの記録メディアに対応可能である。
【００２１】
ここで、本発明のデータ受渡システムにおいて、「上記記録メディアが、データが光で記録されるデータ面と、その光で上記レーベル画像が描画されるレーベル面とを有するものである」という形態は好ましい形態である。
【００２２】
このような好ましい形態のデータ受渡システムによれば、データの記録とレーベル画像の描画とを同じ光を使って行うことができるのでシステムの一層の簡単化が図られる。
【００２３】
また、上記目的を達成する本発明のデータ拠出装置は、データが格納される第１データベースのそのデータを、データが記録されるデータ面と、そのデータ面の記録内容を視覚的に確認するためのレーベル画像が描画されるレーベル面とを有する記録メディアのデータ面に記録するデータ記録部と、
上記データ記録部が上記記録メディアのデータ面に記録したデータの、上記第１データベースにおける格納位置を、その記録メディアのレーベル面に、上記レーベル画像の少なくとも一部として書き込む格納位置書込部とを備えたことを特徴とする。
【００２４】
また、上記目的を達成する本発明のデータ入手装置は、データが記録されるデータ面と、そのデータ面の記録内容を視覚的に確認するためのレーベル画像が描画されるレーベル面とを有する記録メディアのデータ面に記録されているデータを再生するデータ再生部と、
上記データ再生部がデータを再生した記録メディアのレーベル面に書き込まれている格納位置を読み取る格納位置読取部と、
上記データ再生部で再生されたデータを、データが各格納位置に格納される第２データベースにおける、上記格納位置読取部で読み取られた格納位置と同等の格納位置に格納するデータ格納部とを備えたことを特徴とする。
【００２５】
これら本発明のデータ拠出装置と本発明のデータ入手装置とによれば、上述した、データの円滑かつ確実な受渡しを行うことができるデータ受渡システムを得ることができる。
【００２６】
また、上記目的を達成するデータ拠出プログラムは、コンピュータに組み込まれ、そのコンピュータ上に、
データが格納される第１データベースのそのデータを、データが記録されるデータ面と、そのデータ面の記録内容を視覚的に確認するためのレーベル画像が描画されるレーベル面とを有する記録メディアのデータ面に記録するデータ記録部と、
上記データ記録部が上記記録メディアのデータ面に記録したデータの、上記第１データベースにおける格納位置を、その記録メディアのレーベル面に、上記レーベル画像の少なくとも一部として書き込む格納位置書込部とを構築することを特徴とする。
【００２７】
また、上記目的を達成するデータ入手プログラムは、コンピュータに組み込まれ、そのコンピュータ上に、
データが記録されるデータ面と、そのデータ面の記録内容を視覚的に確認するためのレーベル画像が描画されるレーベル面とを有する記録メディアのデータ面に記録されているデータを再生するデータ再生部と、
上記データ再生部がデータを再生した記録メディアのレーベル面に書き込まれている格納位置を読み取る格納位置読取部と、
上記データ再生部で再生されたデータを、データが各格納位置に格納される第２データベースにおける、上記格納位置読取部で読み取られた格納位置と同等の格納位置に格納するデータ格納部とを構築することを特徴とする。
【００２８】
これら本発明のデータ拠出プログラムと本発明のデータ入手プログラムとによれば、それぞれ上述したデータ拠出装置とデータ入手装置とを容易に実現することができ、延いては、上述した、データの円滑かつ確実な受渡しを行うことができるデータ受渡システムを得ることができる。
【００２９】
また、上記目的を達成するデータ拠出プログラム記憶媒体は、コンピュータに組み込まれ、そのコンピュータ上に、
データが格納される第１データベースのそのデータを、データが記録されるデータ面と、そのデータ面の記録内容を視覚的に確認するためのレーベル画像が描画されるレーベル面とを有する記録メディアのデータ面に記録するデータ記録部と、
上記データ記録部が上記記録メディアのデータ面に記録したデータの、上記第１データベースにおける格納位置を、その記録メディアのレーベル面に、上記レーベル画像の少なくとも一部として書き込む格納位置書込部とを構築するデータ拠出プログラムが記憶されてなることを特徴とする。
【００３０】
また、上記目的を達成するデータ入手プログラム記憶媒体は、コンピュータに組み込まれ、そのコンピュータ上に、
データが記録されるデータ面と、そのデータ面の記録内容を視覚的に確認するためのレーベル画像が描画されるレーベル面とを有する記録メディアのデータ面に記録されているデータを再生するデータ再生部と、
上記データ再生部がデータを再生した記録メディアのレーベル面に書き込まれている格納位置を読み取る格納位置読取部と、
上記データ再生部で再生されたデータを、データが各格納位置に格納される第２データベースにおける、上記格納位置読取部で読み取られた格納位置と同等の格納位置に格納するデータ格納部とを構築するデータ入手プログラムが記憶されてなることを特徴とする。
【００３１】
本発明のデータ拠出プログラム記憶媒体および本発明のデータ入手プログラム記憶媒体は、ＦＤ（フレキシブルディスク）、ＣＤ−Ｒ、ＣＤ−ＲＷ、ＭＯ、ＤＶＤ等といった記憶媒体の他、ハードディスクやメモリチップ等であっても良い。
【００３２】
尚、本発明のデータ拠出装置、本発明のデータ入手装置、本発明のデータ拠出プログラム、本発明のデータ入手プログラム、本発明のデータ拠出プログラム記憶媒体、および本発明のデータ入手プログラム記憶媒体については、ここではその基本形態のみを示すのにとどめるが、これは単に重複を避けるためであり、本発明にいうデータ拠出装置、データ入手装置、データ拠出プログラム、データ入手プログラム、データ拠出プログラム記憶媒体、およびデータ入手プログラム記憶媒体には、前述したデータ受渡システムの各形態に対応する各種の形態が含まれる。
【発明の効果】
【００３３】
以上、説明したように、本発明によれば、データの円滑かつ確実な受渡しを行うことができるデータ受渡システムと、そのようなデータ受渡システムを構成する構成するデータ拠出装置と、そのようなデータ受渡システムを構成するデータ入手装置と、コンピュータを上記のデータ拠出装置として動作させるデータ拠出プログラムと、コンピュータを上記のデータ入手装置として動作させるデータ入手プログラムと、上記のデータ拠出プログラムが記憶されてなるデータ拠出プログラム記憶媒体と、上記のデータ入手プログラムが記憶されてなるデータ入手プログラム記憶媒体とを得ることができる。
【発明を実施するための最良の形態】
【００３４】
以下図面を参照して本発明の実施の形態を説明する。
【００３５】
図１は、本発明のデータ受渡システムの一実施形態を示す図である。
【００３６】
この図１に示すデータ受渡システム１は本発明のデータ受渡システムの一実施形態に相当し、２台のコンピュータシステム１０で構成されている。ここで、各コンピュータシステム１０は、ＤＶＤ４００を介してデータを拠出するときには本発明のデータ拠出装置の一実施形態として動作し、そのＤＶＤ４００を介してデータを入手するときには本発明のデータ入手装置の一実施形態として動作する。
【００３７】
コンピュータシステム１０は、パーソナルコンピュータ１００と、そのパーソナルコンピュータ１００に接続されたＤＶＤドライブ２００とで構成される。
【００３８】
ＤＶＤ４００は、データが記録されるデータ面と、そのデータ面の記録内容を視覚的に確認するためのレーベル画像が描画されるレーベル面とを有している。
【００３９】
図１に示す各コンピュータシステム１０は、本発明のデータ拠出装置の一実施形態として動作する場合には、ＤＶＤ４００のデータ面にデータを記録すると共に、そのデータの格納位置をレーベル画像の一部としてレーベル面に書き込む。一方、本発明のデータ入手装置の一実施形態として動作する場合には、レーベル面に書き込まれた格納位置を読み取って、データ面から再生したデータを、その読み取った格納位置に格納する。このコンピュータシステム１０における動作の詳細については後述する。
【００４０】
まず、このコンピュータシステム１０のハードウェア構成について説明する。
【００４１】
このコンピュータシステム１０を構成するパーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００４２】
ＤＶＤドライブ２００は、外観上、ＤＶＤを装填するためのＤＶＤ装填口２００ａを有する。このＤＶＤドライブ２００では、データの記録および再生の際には、ＤＶＤ４００は、データ面が図中で下向きにされて装填され、レーベル画像の描画および読取りの際には、逆に、レーベル面が下向きにされて装填される。
【００４３】
以下、このＤＶＤドライブ２００の内部構成について説明する。
【００４４】
図２は、図１に示すＤＶＤドライブ２００の内部構成を示すハードウェアブロック図である。
【００４５】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、画像読取回路２１７、および制御回路２１８を備えている。このＤＶＤドライブ２００は、図１にも示すパーソナルコンピュータ１００に、インタフェース回路２０９を介して接続されている。
【００４６】
まず、このＤＶＤドライブ２００における、ＤＶＤ４００へのデータの記録について説明する。
【００４７】
上述したようにこのＤＶＤドライブ２００は、レーベル描画型のＤＶＤに対応した装置であり、このＤＶＤドライブ２００に装填されるＤＶＤ４００は、データが光で記録されるデータ面と、その光でレーベル画像が描画されるレーベル面とを有している。
【００４８】
データの記録時には、ＤＶＤ４００は、データ面が光ピックアップ２０１と対向するように、データ面を下に向けてＤＶＤドライブ２００に装填される。装填されたＤＶＤ４００は、不図示の保持機構で保持された状態で、スピンドルモータ２０２によって回転駆動される。また、このときには、記録に最適な回転速度が制御回路２１８からサーボ回路２０６に伝えられる。さらに、スピンドルモータ２０２の回転速度が回転検出器２０３によって検出され、その回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００４９】
光ピックアップ２０１は、赤外域の波長のレーザ光を発する第１のレーザダイオード２０１ａ、赤色域の波長のレーザ光を発する第２のレーザダイオード２０１ｂ、受光素子、および集光レンズ等からなる光学系を備えている。本実施形態では、第１のレーザダイオード２０１ａが発するレーザ光は、データの記録および再生、レーベル画像の描画、および光学系の微調整に使われ、第２のレーザダイオード２０１ｂが発するレーザ光は、レーベル画像の読取りに使われる。このような動作に応じたレーザダイオードの切換えは、ＡＬＰＣ回路２１５を介した制御回路２１８からの光ピックアップ２０１に対する制御によって行われる。
【００５０】
上記のように制御されたされた回転速度で回転するＤＶＤ４００のデータ面に対して、第１のレーザダイオード２０１ａから発し集光レンズで集光されたレーザ光が照射されることで、そのデータ面にデータが記録される。このとき、記録に最適なレーザ光強度が制御回路２１８からＡＬＰＣ回路２１５に伝えられる。また、光ピックアップ２０１は、各レーザダイオードが発するレーザ光の強度をモニタするセンサを有している。データ記録時には、第１のレーザダイオード２０１ａが発するレーザ光の強度が、このセンサによってモニタされＡＬＰＣ回路２１５に伝えられる。ＡＬＰＣ回路２１５は、モニタされた強度と上記の記録に最適なレーザ光強度とを比較し、両者を一致させるための制御信号をレーザドライバ２１６に送る。また、光ピックアップ２０１は、集光されたレーザ光のデータ面上での微小な位置決めを行なうサーボ機構や、集光レンズに対するフォーカス制御を行うフォーカス機構を有している。本実施形態では、データ記録のためのレーザ光がデータ面で反射されたときのその反射光を利用して、これらの機構の動作が、制御回路２１８からの指示に従ったサーボ回路２０６によって制御される。これにより、正確に集光されたレーザ光が、ＤＶＤ４００のデータ面上の目標位置に正確に照射されることとなる。
【００５１】
ここで、ＤＶＤ４００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ４００への記録に適した符号化データに変換される。この符号化データはストラテジ回路２１２に供給され、このストラテジ回路２１２によって、時間軸補正等の補正処理が施された後に、レーザドライバ２１６に供給される。
【００５２】
レーザドライバ２１６は、光ピックアップ２０１の第１のレーザダイオード２０１ａを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００５３】
次に、このＤＶＤドライブ２００における、ＤＶＤ４００に記録されたデータの再生について説明する。
【００５４】
このデータの再生の際にも、ＤＶＤ４００は、データ面が光ピックアップ２０１に対向するように装填され、スピンドルモータ２０２によって最適な回転速度で回転される。
【００５５】
また、上述したように、このデータの再生にも、光ピックアップ２０１における第１のレーザダイオード２０１ａを発する赤外域のレーザ光が使われる。
【００５６】
データの再生時には、この第１のレーザダイオード２０１ａが発しＤＶＤ４００のデータ面で反射されたレーザ光が、光ピックアップ２０１の受光素子で受光される。このとき、ＤＶＤ４００のデータ面で反射されるレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１８に送る。制御回路２１８は、その再生されたデータをインタフェース回路２０９を介してパーソナルコンピュータ１００に送る。また、このようなデータの再生時にも、レーザ光の強度をモニタするセンサによるモニタ結果に応じてレーザ光の強度がデータの再生に最適な強度にＡＬＰＣ回路２１５によって制御され、光ピックアップ２０１が有するサーボ機構やフォーカス機構は、正確に集光されたレーザ光が、ＤＶＤ４００のデータ面上の目標位置に正確に照射されるようにサーボ回路２０６によって制御される。
【００５７】
次に、このＤＶＤドライブ２００における、ＤＶＤ４００へのレーベル画像の描画について説明する。
【００５８】
上述したように、レーベル画像の描画の際にも、光ピックアップ２０１における第１のレーザダイオード２０１ｂが発する赤外域のレーザ光が使われる。また、レーベル画像の描画が行われる際には、ＤＶＤ４００が、レーベル面が光ピックアップ２０１に対向するように、このレーベル面を下に向けて装填される。
【００５９】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１の第１のレーザダイオード２０１ｂを、この階調画像データに従って駆動する駆動信号を生成する。
【００６０】
ここで、本実施形態で使用されるＤＶＤ４００のレーベル面は赤外域の光が照射されると、その光に反応して照射された部分が薄まる青色のレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ４００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００６１】
また、このようなレーベル画像の描画時にも、レーザ光の強度をモニタするセンサによるモニタ結果に応じてレーザ光の強度が描画に最適な強度にＡＬＰＣ回路２１５によって制御され、光ピックアップ２０１が有するサーボ機構やフォーカス機構は、正確に集光されたレーザ光が、ＤＶＤ４００のデータ面上の目標位置に正確に照射されるようにサーボ回路２０６によって制御される。
【００６２】
次に、このＤＶＤドライブ２００における、ＤＶＤ４００からのレーベル画像の読取りについて説明する。
【００６３】
このレーベル画像の読取りの際には、ＤＶＤ４００が、レーベル画像が描画されたレーベル面が光ピックアップ２０１に対向するように、このレーベル面を下に向けて装填される。
【００６４】
上述したように、レーベル画像の読取りには、光ピックアップ２０１における第２のレーザダイオード２０１ｂが発する赤色域のレーザ光が使われる。
【００６５】
本実施形態では、レーベル画像の描画は、レーベル面の青色のレーベル色を薄めることで行われる。このようなレーベル面に赤色域の光が照射されると、そのレーベル面で反射される反射光の強度は、その光が照射された部分の青色の濃度によって異なる。そこで、レーベル画像の読取りは、光ピックアップ２０１において、レーベル面に赤色域のレーザ光を照射し、レーベル面に描画されたレーベル画像に応じて変化する反射光の強度を検出することで行われる。光ピックアップ２０１における検出結果は、画像読取回路２１７においてレーベル画像を表わす画像データに変換され、制御回路２１８およびインタフェース回路２０９を介してパーソナルコンピュータ１００に送られる。また、このようなレーベル画像の読取り時にも、レーザ光の強度をモニタするセンサによるモニタ結果に応じてレーザ光の強度が読取りに最適な強度にＡＬＰＣ回路２１５によって制御される。また、光ピックアップ２０１が有するサーボ機構やフォーカス機構に対する制御も適宜に行われるが、このときには、光ピックアップ２０１におけるレーザ光の発光が、第２のレーザダイオード２０１ｂから第１のレーザダイオード２０１ａに切り換えられ、第１のレーザダイオード２０１ａが発する赤外域のレーザ光を使った制御が行われる。
【００６６】
ＤＶＤドライブ２００は、以上に説明した構成となっている。
【００６７】
次に、図１に示すコンピュータシステム１０を構成するパーソナルコンピュータ１００のハードウェア構成について説明する。
【００６８】
図３は、図１および図２に示すパーソナルコンピュータ１００のハードウェア構成図である。
【００６９】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、マウス１４０は、バス１１７を介して相互に接続されている。
【００７０】
ここで、上記のＣＤ−ＲＯＭ４２０には、コンピュータシステム１０を、本発明のデータ拠出装置の一実施形態として動作させるための、本発明のデータ拠出プログラムの一実施形態と、コンピュータシステム１０を、本発明のデータ入手装置の一実施形態として動作させるための、本発明のデータ入手プログラムの一実施形態とが記憶されており、このＣＤ−ＲＯＭ４２０は、本発明のデータ拠出プログラム記憶媒体の一実施形態と本発明のデータ入手プログラム記憶媒体の一実施形態とを兼ねたものに相当する。
【００７１】
そして、そのＣＤ−ＲＯＭ４２０がＣＤ−ＲＯＭドライブ１１５に装填されると、そのＣＤ−ＲＯＭ４２０に記憶されたプログラムがこのパーソナルコンピュータ１００にアップロードされてハードディスク装置１１３に書き込まれる。これにより、パーソナルコンピュータ１００はデータ拠出装置やデータ入手装置として動作する。
【００７２】
次に、本発明のデータ拠出プログラムの一実施形態、本発明のデータ入手プログラムの一実施形態、本発明のデータ拠出プログラム記憶媒体、および、本発明のデータ入手プログラム記憶媒体の一実施形態について説明する。
【００７３】
図４は、本発明のデータ拠出プログラムの一実施形態および本発明のデータ入手プログラムの一実施形態が記憶された、本発明のデータ拠出プログラム記憶媒体の一実施形態と本発明のデータ入手プログラム記憶媒体の一実施形態とを兼ねたＣＤ−ＲＯＭ４２０を示す概念図である。
【００７４】
図４に示すＣＤ−ＲＯＭ４２０は、本発明のデータ拠出プログラム記憶媒体の一実施形態と本発明のデータ入手プログラム記憶媒体の一実施形態とを兼ねたものであり、本発明のデータ拠出プログラムの一実施形態であるデータ拠出プログラム３１０と、本発明のデータ入手プログラムの一実施形態であるデータ入手プログラム３２０とが記憶されている。
【００７５】
データ拠出プログラム３１０は、データ記録部３１１およびレーベル画像描画部３１２で構成され、データ入手プログラム３２０は、データ再生部３２１、画像読取部３２２、格納位置認識部３２３、およびデータ格納部３２４で構成されている。
【００７６】
これらデータ拠出プログラム３１０およびデータ入手プログラム３２０それぞれの各部の詳細については、本発明のデータ拠出装置の一実施形態および本発明のデータ入手装置の一実施形態それぞれの各部の作用と併せて説明する。尚、以下の説明では、この図４に示す要素については特に図番を断らずに各図中の符号を使って参照する。
【００７７】
図５は、本発明のデータ拠出装置の一実施形態および本発明のデータ入手装置の一実施形態を示す機能ブロック図である。
【００７８】
この図５には、図１に示す２台のコンピュータシステム１０のうちの一台が本発明のデータ拠出装置であるデータ拠出装置５００として動作し、もう一台が本発明のデータ入手装置の一実施形態であるデータ入手装置６００として動作する様子が示されている。
【００７９】
データ拠出装置５００は、データ記録部５１０と、レーベル画像描画部５２０と、第１データベース（第１ＤＢ）５３０とを備えており、データ入手装置６００は、データ再生部６１０と、画像読取部６２０と、格納位置認識部６３０と、データ格納部６４０と、第２データベース（第２ＤＢ）６５０とを備えている。
【００８０】
まず、図４のデータ拠出プログラム３１０が、図１のコンピュータシステム１０で実行されると、そのデータ拠出プログラム３１０のデータ記録部３１１およびレーベル画像描画部３１２は、それぞれ図５に示すデータ拠出装置５００のデータ記録部５１０およびレーベル画像描画部５２０を構築する。また、図４のデータ入手プログラム３２０が、図１のコンピュータシステム１０で実行されると、そのデータ入手プログラム３２０のデータ再生部３２１、画像読取部３２２、格納位置認識部３２３、およびデータ格納部３２４は、それぞれ図５に示すデータ入手装置６００のデータ再生部６１０、画像読取部６２０、格納位置認識部６３０、およびデータ格納部６４０を構築する。ここで、データ拠出装置５００およびデータ入手装置６００それぞれの各要素は、コンピュータのハードウェアとそのコンピュータで実行されるＯＳやアプリケーションプログラムとの組合せで構成されているのに対し、図４のデータ拠出プログラム３１０およびデータ入手プログラム３２０の各要素は、アプリケーションプログラムのみによって構成されている。
【００８１】
ここで、図５に示すデータ拠出装置５００のデータ記録部５１０およびレーベル画像描画部５２０は、それぞれ本発明のデータ拠出装置におけるデータ記録部および格納位置書込部の各一例に相当し、データ入手装置６００のデータ再生部６１０、画像読取部６２０、格納位置認識部６３０、およびデータ格納部６４０は、それぞれ本発明のデータ入手装置におけるデータ再生部、画像読取部、格納位置認識部、およびデータ格納部の各一例に相当する。また、データ入手装置６００の画像読取部６２０と格納位置認識部６３０とを合わせたものが、本発明のデータ入手装置における格納位置読取部の一例に相当する。さらに、データ拠出装置５００における第１ＤＢ５３０は、本発明にいう第１データベースの一例に相当し、データ入手装置６００における第２ＤＢ６５０は、本発明にいう第２データベースの一例に相当する。
【００８２】
以下、この図５に示すデータ拠出装置５００およびデータ入手装置６００それぞれの各要素を説明することによって、図４に示すデータ拠出プログラム３１０およびデータ入手プログラム３２０の各要素も併せて説明する。
【００８３】
ここで、まず、データ拠出装置５００における第１ＤＢ５３０、およびデータ入手装置６００における第２ＤＢ６５０について説明する。
【００８４】
図６は、図５に示す第１ＤＢ５３０および第２ＤＢ６５０のデータ構造を示す模式図である。
【００８５】
図６のパート（ａ）には第１ＤＢ５３０が示され、パート（ｂ）には第２ＤＢ６５０示されている。この図６に示すように、これら２のデータベースには、互いに同一の１つの主題が付与されている。そして、各データベース内に、副題が付与された格納領域が複数設けられている。
【００８６】
この図６の例では、第１ＤＢ５３０には、パート（ａ）に示すように「副題Ａ」が付与されたＡ格納領域５３１と、「副題Ｂ」が付与されたＢ格納領域５３２と、「副題Ｃ」が付与されたＣ格納領域５３３という３個の格納領域が設けられている。一方、第２ＤＢ６５０の内部には、パート（ｂ）に示すように「副題Ａ」が付与されたＡ格納領域６５１と、「副題Ｃ」が付与されたＣ格納領域６５２という２個の格納領域が設けられている。ここで、第２ＤＢ６５０における「副題Ａ」は、第１ＤＢ５３０における「副題Ａ」と同一であり、第２ＤＢ６５０における「副題Ｃ」は、第１ＤＢ５３０における「副題Ｃ」と同一である。
【００８７】
この図４の例では、第１ＤＢ５３０のＡ格納領域５３１、および第２ＤＢ６５０のＡ格納領域６５１の双方に、「データＡ−１」、「データＡ−２」、…という複数のデータが格納され、第１ＤＢ５３０のＢ格納領域５３２には、「データＢ−１」、「データＢ−２」、…という複数のデータが格納されている。また、第１ＤＢ５３０のＣ格納領域５３３には、「データＣ−１」、「データＣ−２」、および「データＣ−３」という３個のデータが格納されており、第２ＤＢ６５０のＣ格納領域６５２には、これら３個のデータのうち「データＣ−１」および「データＣ−２」という２個のデータが格納されている。
【００８８】
以上で、２つのデータべースについての説明を終了し、再び、図５に戻って説明を続ける。
【００８９】
まず、データ拠出装置５００の各要素について説明する。
【００９０】
データ拠出装置５００のデータ記録部５１０は、第１ＤＢ５３０から、不図示の操作画面を介した操作によってユーザから指示されたデータを読み出してＤＶＤ４００のデータ面に記録する。
【００９１】
レーベル画像描画部５２０は、データ記録部５１０が読み出したデータの、第１ＤＢ５３０における格納位置を含むレーベル画像を作成してＤＶＤ４００のレーベル面に描画する。
【００９２】
図７は、格納位置を含むレーベル画像を示す図である。
【００９３】
この図７に示すレーベル画像５２１は、第１ＤＢ５３０に付与されている主題を示す主題部分５２１ａと、拠出対象のデータが格納されていた格納領域に付与された副題を示す副題部分５２１ｂとを有している。このレーベル画像５２１では、拠出対象のデータの、第１ＤＢ５３０における格納位置が、主題部分５２１ａが示す主題と、副題部分５２１ｂが示す副題とで表わされている。
【００９４】
また、レーベル画像５２１は、これら２つの画像部分の他に、拠出対象のデータの内容をユーザに視覚的に伝える、例えばデータの名称等といった情報が記載されたデータ画像部分５２１ｃ、データが記録されたＤＶＤに付与されたタイトルが記載されたタイトル画像部分５２１ｄ、このＤＶＤにデータが記録された日時が記載された日時画像部分５２１ｅ、このＤＶＤにデータデータを記録したユーザの名前が記載された名前画像部分５２１f、および、このレーベル画像５２１の書式を示すテンプレート５２１ｇを備えている。ここで、本実施形態では、各画像部分において、その画像部分が示す内容は、テンプレート５２１ｇを除いて、全て文字で記載されている。テンプレート５２１ｇでは、レーベル画像５２１の書式が画像で示されており、さらに、このテンプレート５２１ｇには、レーベル画像５２１中でテンプレート５２１ｇの場所を検知するための検知マーク５２１ｇ＿１が付されている。このテンプレート５２１ｇが、本発明にいう書式情報の一例に相当する。
【００９５】
図５に示すレーベル画像描画部５２０は、以上に説明したようなレーベル画像５２１を作成すると、そのレーベル画像５２１をＤＶＤ４００のレーベル面に描画する。
【００９６】
次に、データ入手装置６００について説明する。
【００９７】
データ入手装置６００のデータ再生部６１０は、ＤＶＤ４００のデータ面に記録されているデータを再生する。
【００９８】
画像読取部６２０は、データ記録済のＤＶＤ４００のレーベル面に描画されているレーベル画像５２１を読み取る。
【００９９】
格納位置認識部６３０は、画像読取部６２０が読み取ったレーベル画像５２１を解析して、そのレーベル画像５２１中に記された格納位置を認識する。
【０１００】
データ格納部６４０は、データ再生部６１０が再生したデータを、第２ＤＢ６５０内の、格納位置認識部６３０が認識した格納位置に格納する。
【０１０１】
データ入手装置６００は、概略このように構成されているが、以下、このデータ入手装置６００で実行されるレーベル画像５２１の読取りからデータの格納までの処理の詳細について説明する。
【０１０２】
図８は、レーベル画像５２１の読取りからデータの格納までの処理の詳細を示す図である。
【０１０３】
まず、図５に示す画像読取部６２０によってレーベル画像５２１が読み取られるが（ステップＳ１０）、この段階では、レーベル画像５２１は、まだ、単なる画像Ｇ１としてしか認識されていない。次に、この単なる画像Ｇ１中における上記のテンプレート５２１ｇが、そのテンプレート５２１ｇが有する検知マーク５２１ｇ＿１に基いて検知される（ステップＳ１１）。テンプレート５２１ｇが検出されると、そのテンプレート５２１ｇに描かれている、図７に示したレーベル画像５２１中の各画像部分の書式を画像で表わすテンプレート情報Ｇ２が、画像認識処理によって抽出される（ステップＳ１２）。そして、そのテンプレート情報Ｇ２に基いて、そのテンプレート情報Ｇ２中の第１項目Ｇ２＿１に相当する、レーベル画像５２１中の主題部分５２１ａと、第２項目Ｇ２＿２に相当する副題部分５２１ｂとが、ステップＳ１０において得られた単なる画像Ｇ１の中から抽出される（ステップＳ１３）。そして、この主題部分５２１ａに文字で記載されている主題と、副題部分５２１ｂに文字で記載されている副題とが、それぞれ文字認識処理によって求められることで、データの格納位置が認識される（ステップＳ１４）。この図８には、データが、図４に示す第１ＤＢ５３０中のＣ格納領域５３３に格納されていた「データＣ−３」である例が示されている。そのため、副題部分５２１ｂに対する文字認識処理では、Ｃ格納領域５３３に付与された「副題Ｃ」という副題が得られる。ステップＳ１４では、このように主題および副題が得られると、引き続いて、この主題が付与されている第２ＤＢ６５０中の、「副題Ｃ」という副題が付与されているＣ格納領域６５２中にデータが格納されることとなる。
【０１０４】
ここで、例えば、ＤＶＤに記録されていたデータが、図４に示す第１ＤＢ５３０中のＢ格納領域５３２に格納されていたデータであったとすると、上記のステップＳ１４では、副題として、そのＢ格納領域５３２に付与されている「副題Ｂ」という、第２ＤＢ６５０中には存在しない副題が得られる。その場合には、データ格納部６４０は、まず、第２ＤＢ６５０中に、新たな格納領域を作って、その新たな格納領域に「副題Ｂ」という副題を付与する。そして、その新たな格納領域にデータを格納する。
【０１０５】
以上、説明したように、本実施形態によれば、まず、ＤＶＤにデータを記録して、そのＤＶＤを介してデータを拠出するに当たり、そのデータの拠出先における格納位置を含むレーベル画像が自動的に作成され、ＤＶＤのレーベル面に描画される。一方、そのようなレーベル画像が描画されたＤＶＤを受け取った側では、そのレーベル画像が読み取られることで、ＤＶＤに記録されていたデータが、上記の格納位置に自動的かつ確実に格納される。このように、本実施形態によれば、データの円滑かつ確実な受渡しを行うことができる。
【０１０６】
尚、上記では、本発明にいう第１データベースと第２のデータベースそれぞれの一例として、互いに独立した２つのデータベースを例示したが、本発明はこれに限るものではなく、本発明の第１データベースと第２のデータベースは、例えば、上記のデータ受渡システム１において共通に扱われる１つのデータベースであっても良い。
【０１０７】
また、上記では、本発明にいう第１データベースと第２のデータベースそれぞれの一例として、内部に複数の格納領域が単層で設けられているというデータ構造を有するデータベースを例示したが、本発明はこれに限るものではなく、本発明の第１データベースと第２のデータベースは、例えば、複数の格納領域それぞれの中にさらに複数の格納領域が設けられているという多層のデータ構造を有するもの等であっても良い。
【０１０８】
また、上記では、本発明にいう格納位置書込部の一例として、格納位置が文字で表わされたレーベル画像を描画するレーベル画像描画部５２０を例示したが、本発明はこれに限るものではなく、本発明の格納位置書込部は、例えば、格納位置がバーコードやＱＲコード（登録商標）で表わされたレーベル画像を描画するものであっても良く、また、例えば、格納位置がユーザにも理解可能なマークで表わされたレーベル画像を描画するもの等であっても良い。
【図面の簡単な説明】
【０１０９】
【図１】本発明のデータ受渡システムの一実施形態を示す図である。
【図２】図１に示すＤＶＤドライブ２００の内部構成を示すハードウェアブロック図である。
【図３】図１および図２に示すパーソナルコンピュータ１００のハードウェア構成図である。
【図４】本発明のデータ拠出プログラムの一実施形態および本発明のデータ入手プログラムの一実施形態が記憶された、本発明のデータ拠出プログラム記憶媒体の一実施形態と本発明のデータ入手プログラム記憶媒体の一実施形態とを兼ねたＣＤ−ＲＯＭ４２０を示す概念図である。
【図５】本発明のデータ拠出装置の一実施形態および本発明のデータ入手装置の一実施形態を示す機能ブロック図である。
【図６】図５に示す第１ＤＢ５３０および第２ＤＢ６５０のデータ構造を示す模式図である。
【図７】主題と副題とで表わされた格納位置を含むレーベル画像を示す図である。
【図８】レーベル画像５２１の読取りからデータの格納までの処理の詳細を示す図である。
【符号の説明】
【０１１０】
１    データ受渡システム
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０１ａ    第１のレーザダイオード
２０１ｂ    第２のレーザダイオード
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御（ＡＬＰＣ）回路
２１６    レーザドライバ
２１７    画像読取回路
２１８    制御回路
３１０    データ拠出プログラム
３１１    データ記録部
３１２    レーベル画像描画部
３２０    データ入手プログラム
３２１    データ再生部
３２２    画像読取部
３２３    格納位置認識部
３２４    データ格納部
４００    ＤＶＤ
４１０    ＦＤ
４２０    ＣＤ−ＲＯＭ
５００    データ拠出装置
５１０    データ記録部
５２０    レーベル画像描画部
５２１    レーベル画像
５２１ａ    主題部分
５２１ｂ    副題部分
５２１ｃ    データ画像部分
５２１ｄ    タイトル画像部分
５２１ｅ    日時画像部分
５２１ｆ    名前画像部分
５２１ｇ    テンプレート
５２１ｇ＿１    検知マーク
５３０    第１ＤＢ
５３１，６５１    Ａ格納領域
５３２    Ｂ格納領域
５３３，６５２    Ｃ格納領域
６００    データ入手装置
６１０    データ再生部
６２０    画像読取部
６３０    格納位置認識部
６４０    データ格納部
６５０    第２ＤＢ
【図１】
2007272985.tif 000003
【図２】
2007272985.tif 000004
【図３】
2007272985.tif 000005
【図４】
2007272985.tif 000006
【図５】
2007272985.tif 000007
【図６】
2007272985.tif 000008
【図７】
2007272985.tif 000009
【図８】
2007272985.tif 000010